(57)【要約】【課題】ＵＲＬ情報蓄積サーバが管理しているＵＲＬ情報を、メモリーカード等の記録媒体に記録して提供すること。【解決手段】ＵＲＬ情報提供端末１０４は、定期的にＵＲＬ情報蓄積サーバ１０１からＵＲＬ情報を取得する。ＵＲＬ情報提供端末１０４は、ＵＲＬ受信手段２１４によりＵＲＬ情報を取得し、ＵＲＬ蓄積制御部２１５により取得したＵＲＬ情報を、ＵＲＬ情報記憶手段２１６に蓄積する。ユーザは所望するＵＲＬ情報を含むコンテンツをそのＵＲＬ情報提供端末１０４から検索し、必要なＵＲＬ情報を含むコンテンツの購入処理を行い、メモリーカード１０６に書き込む。【選択図】図１
2006018637.tif 000002
【特許請求の範囲】
【請求項１】
利用者が所望するＵＲＬ情報を提供するＵＲＬ情報提供端末であって、
ＵＲＬ情報を含むコンテンツを受信するＵＲＬ受信手段と、
前記ＵＲＬ受信手段により受信されたＵＲＬ情報を記憶するＵＲＬ情報記憶手段と、
ＵＲＬ検索用情報を記録した利用者用記録媒体から前記ＵＲＬ検索用情報を読み出す個人情報入力手段と、
前記読み出されたＵＲＬ検索用情報に基づき、前記ＵＲＬ情報記憶手段に記憶されたＵＲＬ情報から所望するＵＲＬ情報を検索するＵＲＬ検索手段と、
前記ＵＲＬ検索手段により検索されたＵＲＬ情報を、前記利用者記録媒体に記録するＵＲＬ出力制御手段を備えていることを特徴とするＵＲＬ情報提供端末。
【請求項２】
前記ＵＲＬ検索手段により検索されたＵＲＬ情報を、個人ポータルサイト情報データに加工する個人ポータルサイト構築手段を備えることを特徴とする請求項１記載のＵＲＬ情報提供端末。
【請求項３】
前記利用者用記録媒体から読み出されたＵＲＬ検索用情報と前記利用者用記録媒体に出力される情報のうち少なくとも一つに基づき、各ＵＲＬに何回アクセスしたかを示すＵＲＬアクセス情報を蓄積するＵＲＬアクセス情報記憶手段を備えることを特徴する請求項１記載のＵＲＬ情報提供端末。
【請求項４】
前記ＵＲＬアクセス情報記憶手段に蓄積された情報を集計するＵＲＬアクセス情報集計部を具備することを特徴とする請求項３記載のＵＲＬ情報提供端末。
【請求項５】
前記ＵＲＬ検索手段は、前記ＵＲＬアクセス情報集計部によって集計された情報に基づき、ＵＲＬ情報の検索を行うことを特徴とする請求項４記載のＵＲＬ情報提供端末。
【請求項６】
前記利用者用記録媒体から読み出されるＵＲＬ検索情報には利用者個人の属性を表す個人情報と、ＵＲＬ情報と関連付けられたグループのうちいずれのグループに属するグループ情報と、前もって代表ＵＲＬとして登録した登録ＵＲＬ情報のうち少なくとも一つが含まれることを特徴とする請求項１記載のＵＲＬ情報提供端末。
【請求項７】
利用者が所望するＵＲＬ情報を提供するＵＲＬ情報提供システムであって、
ＵＲＬ情報を含むコンテンツを配信するコンテンツ蓄積サーバと、
ＵＲＬ検索用情報を記録した利用者用記録媒体と、
前記コンテンツ蓄積サーバから前記ＵＲＬ情報を含むコンテンツを受信して蓄積し、前記利用者用記録媒体から読み出されたＵＲＬ検索用情報に基づき、前記蓄積されたコンテンツから利用者が所望するＵＲＬ情報を検索して前記利用者用記憶媒体に記録するＵＲＬ情報受信端末を備えることを特徴とするＵＲＬ情報提供システム。
【発明の詳細な説明】
【技術分野】
【０００１】
本発明は、ＵＲＬ情報をコンテンツとして配信するシステムに関し、利用者が必要なＵＲＬ情報のみを利用者が指定した記憶媒体を介して携帯端末上に表示することができるＵＲＬ情報提供システムと、個人ポータルサイトに必要なＵＲＬ情報を記録媒体に記録することができるＵＲＬ情報提供端末に関する。
【背景技術】
【０００２】
従来、コンピュータプログラムや音楽データなどのデジタルコンテンツを、インターネットを使用して購入するデジタルコンテンツ販売システムが知られている（例えば、特許文献１参照）。
【０００３】
このようなインターネットを利用したデジタルコンテンツの購入では、パーソナルコンピュータなどの利用者用端末を使って、購入した商品を選択し、購入手続きをする。その後、ユーザはその利用者用端末にそのデジタルコンテンツのデータをダウンロードすることにより商品を入手することになる。つまり商品選択を行った利用者用端末がデータのダウンロード端末となっている。購入代金はクレジットカードによる決済が一般的に行われている。
【０００４】
また、デジタルコンテンツの入手方法は店舗に設置されたデジタルコンテンツ自動販売機を利用することもできる。このデジタルコンテンツ自動販売機は、一般にキオスク端末と呼ばれているネットワーク情報端末を指し、ゲームソフトや電子書籍などのデジタルコンテンツデータの販売に利用されている。この場合、店舗に設置されたデジタルコンテンツ自動販売機の前で購入したい商品の選択を行い、選択されたデジタルコンテンツのデータをユーザがあらかじめ用意した記録媒体に格納することになる。購入代金は、店舗が備えている集金機能を利用する。
【０００５】
一方、電話回線などを通してインターネットを利用できる携帯端末や携帯電話では、インターネットを介してホームページを閲覧することができる。この場合、ユーザの好みに合わせて、必要なＵＲＬについてはブックマークとして携帯端末や携帯電話上に格納することができる。
【特許文献１】特開２００１−３５７３０６号公報
【発明の開示】
【発明が解決しようとする課題】
【０００６】
しかしながら、従来のコンピュータプログラムや音楽データが中心としたデジタルコンテンツ販売システムにおいては、各デジタルコンテンツの位置を示すアドレス情報であるＵＲＬ情報（Ｕｎｉｆｏｒｍ  Ｒｅｓｏｕｒｃｅ  Ｌｏｃａｔｏｒ）などは扱っておらず、利用者は各デジタルコンテンツにアクセスするためのＵＲＬ情報を取得することができなかった。また、従来のインターネットを利用できる携帯電話や携帯端末では、ユーザにとって必要なＵＲＬ情報を、１回１回ユーザがブックマークとして登録する必要があり、必要とする複数のＵＲＬ情報を登録する処理にかなりの時間がかかるという問題点があった。また、携帯電話や携帯端末では、一度に多くのＵＲＬ情報をポータルサイトのように一定のカテゴリ単位や頻度単位に並べるなど、個人のニーズにあった表示をすることができないという問題点があった。
【０００７】
さらに、音楽などの通常のデジタルコンテンツでは、特定のコンテンツ（特定の曲、特定の歌手の曲など）を所望することが多いが、ＵＲＬ情報では、漠然とした個人のニーズに基づいて一度に大量の情報を取得することが要望されることが多い。
【０００８】
本発明はこのような点に鑑みてなされたものであり、個人のニーズにあったＵＲＬ情報を一度に多くかつ容易に利用者用記録媒体に記録でき、ユーザの好みのポータルサイトを構築できるＵＲＬ情報提供システム及びＵＲＬ情報提供端末を提供することを目的とする。
【課題を解決するための手段】
【０００９】
上記課題を解決するために、本発明のＵＲＬ情報提供端末は、ＵＲＬ情報を含むコンテンツを受信するＵＲＬ受信手段と、ＵＲＬ受信手段により受信されたＵＲＬ情報を記憶するＵＲＬ情報記憶手段と、ＵＲＬ検索用情報を記録した利用者用記録媒体からＵＲＬ検索用情報を読み出す個人情報入力手段と、読み出されたＵＲＬ検索用情報に基づき、ＵＲＬ情報記憶手段に記憶されたＵＲＬ情報から所望するＵＲＬ情報を検索するＵＲＬ検索手段と、ＵＲＬ検索手段により検索されたＵＲＬ情報を、記録媒体に記録するＵＲＬ出力制御手段を有し、所望するＵＲＬ情報を記録した記録媒体を得ることができる。本構成によって、ユーザが自己のニーズに合ったＵＲＬ情報を、手で入力することなしに、取得することができる。
【００１０】
また、本発明のＵＲＬ情報提供システムは、ＵＲＬ情報を含むコンテンツを配信するコンテンツ蓄積サーバと、ＵＲＬ検索用情報を記録した利用者用記録媒体と、コンテンツ蓄積サーバからＵＲＬ情報を含むコンテンツを受信して蓄積し、利用者用記録媒体から読み出されたＵＲＬ検索用情報に基づき、蓄積されたコンテンツから利用者が所望するＵＲＬ情報を検索して利用者用記憶媒体に記録するＵＲＬ情報受信端末を有している。本構成により、ユーザは多数のＵＲＬ情報の中から自己のニーズに合ったＵＲＬ情報を記録媒体に記録し、記録媒体からＵＲＬ情報を携帯端末に読み出して利用することにより、自己の好みにあったポータルサイトを構築できる。
【発明の効果】
【００１１】
本発明のＵＲＬ情報提供システムによれば、ユーザは多数のＵＲＬ情報の中から自己のニーズに合ったＵＲＬ情報を記録媒体に記録し、当該記録媒体からＵＲＬ情報を携帯端末に読み出して利用することにより、自己の好みにあったポータルサイトを構築できる。
【発明を実施するための最良の形態】
【００１２】
以下本発明の実施の形態について、図面を参照しながら説明する。
【００１３】
図１は、本発明の実施の形態におけるＵＲＬ情報提供システム１００の構成を示すシステム構成図である。ＵＲＬ情報提供システム１００は図１に示す通り、ＵＲＬ情報蓄積サーバ１０１、衛星放送用のコンテンツ蓄積サーバ１０２、衛星１０３、ＵＲＬ情報提供端末１０４、インターネット通信網１０５、メモリーカード１０６、携帯端末１０７から構成される。携帯端末１０７は、携帯電話などでもよい。
【００１４】
ＵＲＬ情報提供システム１００は、デジタルデータ放送網を利用したサービスとインターネット網を利用したブロードバンドサービスを利用してＵＲＬ情報をＵＲＬ情報提供端末１０４で受信・蓄積し、メモリーカードなどの記憶媒体１０６を介してユーザの携帯端末１０７でＵＲＬ情報を利用できるようにするシステムである。
【００１５】
ＵＲＬ情報蓄積サーバ１０１は、コンテンツ配信サービス会社などが提供しており、行政機関や民間企業等のＵＲＬ情報をデータベース化して記憶している。放送用のコンテンツ蓄積サーバ１０２は、委託放送事業者などにより管理されており、ＵＲＬ情報蓄積サーバ１０１に記憶されたＵＲＬ情報を定期的に取得し、衛星放送コンテンツとして変換し、放送衛星または通信衛星１０３に送出する。放送衛星または通信衛星１０３は放送用のコンテンツ蓄積サーバ１０２から送出されたＵＲＬ情報を含むコンテンツを中継してＵＲＬ情報提供端末１０４へ一方的に送出する。
【００１６】
なお、ＵＲＬ情報を含むコンテンツの送信には、放送衛星または通信衛星１０３を用いず、インターネット通信網１０５のみを用いる構成としてもよい。この場合、ＵＲＬ情報蓄積サーバ１０１からＵＲＬ情報提供端末１０４にＵＲＬ情報を含むコンテンツが送出されることになる。また、ＵＲＬ情報蓄積サーバ１０１から、ＵＲＬ情報を紹介するプロモーション映像などを、インターネット通信網１０５を通してＵＲＬ情報提供端末１０４へ送出し、表示する構成としてもよい。
【００１７】
ＵＲＬ情報提供端末１０４は、ハードウェア構成としては、ＣＰＵ、ＲＯＭ、ＲＡＭ、ハードディスク、映像モニター、スピーカー、記録メディア制御機器等から構成され、上記ＲＯＭやハードディスクにはプログラムが記憶され、ＵＲＬ情報やＵＲＬアクセス情報等はハードディスクに記憶されている。上記ＣＰＵが、上記プログラムに従って動作することにより、上記ＵＲＬ情報提供端末１０４はその機能を実行する。
【００１８】
ＵＲＬ情報提供端末１０４は、放送衛星または通信衛星１０３やインターネット回線１０５を介してＵＲＬ情報を含むコンテンツを受信し、受信したコンテンツの表示を行なう。また、メモリーカード１０６に記録するためのメモリーカードリーダー／ライターを備え、受信したＵＲＬ情報をメモリーカードに記録することができる。
【００１９】
ＵＲＬ情報提供端末１０４より、定期的にＵＲＬ情報蓄積サーバ１０１を運用しているコンテンツ配信サービス会社にＵＲＬ情報提供端末１０４に蓄積されたＵＲＬアクセス情報（性別、年齢別アクセス回数など）を、インターネット通信網１０５を通して情報を配信し、コンテンツ配信サービス会社の利用に供する構成としてもよい。
【００２０】
図２は、図１のＵＲＬ情報提供端末１０４の構成を表したブロック図である。ＵＲＬ情報提供端末１０４は図２に示す通り、モニター２２５と端末本体２０１から構成されている。
【００２１】
モニター２２５は、文字を入力するために、タッチパネルの機能も有している。つまり、モニター２２５は、ユーザへの情報の表示に用いられる他、ユーザが入力を行なうために用いられる。なお、モニター２２５を表示だけでなく入力にも使用するとしたが、キーボードやボタンなど入力部を備えてもよい。
【００２２】
端末本体２０１は、コンテンツ購入制御手段２０４、個人情報入力手段２０７、ＵＲＬ出力制御手段２１１、ＵＲＬ受信手段２１４、ＵＲＬ情報記録手段２１６、ＵＲＬ検索手段２１７、個人ポータルサイト構築手段２２０、履歴管理手段２２１、ＵＲＬアクセス情報記憶手段２２２から構成されている。
【００２３】
コンテンツ購入制御手段２０４は、ユーザの操作を促すメニューをモニター２２５に表示するとともに、ユーザの操作を受け付け、ＵＲＬ検索に必要な情報をＵＲＬ検索手段２１７に送信する。また、プリペイドカードの使用可能性の認証やプリペイドカードの使用可能金額などを確認しプリペイドカードによる代金の収納を行うカード制御部２０５と、ユーザがＵＲＬ情報などのコンテンツを購入時に、現金を投入した場合に、コンテンツ価格と投入された現金を比較して代金の収納を行う現金演算制御部２０６を備えている。
【００２４】
個人情報入力手段２０７は、ＵＲＬ情報などのコンテンツを保存するメモリーカード１０６に記録された個人情報やグループ情報などＵＲＬ情報などのＵＲＬ情報を有効に効率的に、検索するための情報を読み込んで、ユーザ認証情報管理テーブルとして保持し、ユーザの認証を行い、ＵＲＬの検索に必要な情報を抽出するものである。個人情報入力手段２０７は、メモリーカード１０６に記録された情報の読み込みを行なうＵＲＬ入力部２０９、読み込んだ情報を用いることで、ユーザの認証を行う個人情報入力部２０８、グループの認証を行うグループ情報入力部２１０、を備えている。つまり、メモリーカード１０６には、氏名等の個人情報の他所属するグループなど第三者に開示できない情報が記録されているため、パスワードが設定されており、仮に第三者が他人のメモリーカードを不正に取得して、ＵＲＬ情報提供端末１０４にて利用しようとしても、真正なパスワードを入力しない限り利用できない構成となっている。
【００２５】
ＵＲＬ受信手段２１４は、ＵＲＬ情報提供端末１０４に送られてきたＵＲＬ情報などのコンテンツを受信するものであり、受信したコンテンツをＵＲＬ情報提供端末１０４のハードディスク（ＵＲＬ情報記憶手段２１６）へＵＲＬ情報として蓄積するＵＲＬ蓄積制御部２１５を備えている。
【００２６】
ＵＲＬ検索手段２１７は、個人情報入力手段２０７からＵＲＬ情報の検索に必要な情報を受信するとともに、コンテンツ購入制御手段２０４より、購入に必要な代金が受領されたことを示す信号を受信し、ＵＲＬ情報記録手段２１６より、ユーザが必要なＵＲＬ情報を検索し、個人ポータルサイト構築手段２２０に出力するものであり、ＵＲＬ情報記録手段２１６のＵＲＬ情報をユーザのメモリーカード１０６から読み取った個人情報、グループ情報、ユーザが指定した検索条件（キーワード等）に基づき、ユーザが必要とするＵＲＬ情報を検索するための情報検索部２１８、検索した結果のＵＲＬ情報などを出力する情報出力部２１９を備えている。
【００２７】
履歴管理手段２２１は、どのようなユーザがどのＵＲＬに何回アクセスしたかを示すユーザ層別アクセス回数からなるＵＲＬアクセス情報をＵＲＬアクセス情報記憶手段２２２へ蓄積するＵＲＬアクセス情報蓄積部２２３とＵＲＬ情報のアクセス情報を集計するＵＲＬアクセス情報集計部２２４を備えている。履歴管理手段２２１は、また、ユーザが検索条件としてアクセス回数を指定したときはＵＲＬ検索手段の問い合わせに応じ、指定のユーザ層においてアクセス回数が最も多いＵＲＬを特定するＵＲＬ  ＩＤをＵＲＬ検索手段２１７に通知する。
【００２８】
個人ポータルサイト構築手段２２０は、ＵＲＬ検索手段２１７により検索されたＵＲＬ情報を、ユーザの携帯端末１０７で表示するのに適した形式（例えば、ＨＴＭＬフォーマットなど）に変換することで個人ポータルサイト情報を生成し、ＵＲＬ出力制御手段２１１に送出する。
【００２９】
ＵＲＬ出力制御手段２１１は、個人ポータルサイト情報を個人ポータルサイト構築手段２２０から受信して、メモリーカード１０６に記録するものであり、メモリーカード１０６を認識して記憶容量の残量や記録可能カードかどうかをチェックする記録メディア認識部２１３と、メモリーカード１０６に個人ポータルサイト情報を書き込むメディア書き込み部２１２を備えている。
【００３０】
以上のように、メモリーカード１０６に記録された情報は、ユーザが携帯端末１０７に挿入して、読み込ませて表示する。
【００３１】
図３は、図１のメモリーカード１０６のデータの構成を表した図である。メモリーカード１０６は、個人情報３０２、登録ＵＲＬ情報３０３、登録グループ情報３０４、記憶メディア情報３０５のデータ領域から構成される。
【００３２】
個人情報３０２のデータ領域に記録されるデータは、任意に決定されたユーザＩＤ、パスワード情報、氏名、性別、年齢、地域、登録日、登録端末ＩＤなどから構成される。
【００３３】
登録グループ情報３０４のデータ領域に記録されるデータは、グループＩＤ、グループ用パスワードなどから構成される。グループは、ユーザが属するグループ（例えば、鉄道、写真などの趣味を共有するグループ）であり、ＵＲＬのキーワードと関連付けられている。具体的には、鉄道のグループであれば「鉄道」のキーワード、写真のグループであれば「写真」のキーワードと関連付けられていることになる。
【００３４】
登録ＵＲＬ情報３０３のデータ領域に記録されるデータは、ユーザが登録したＵＲＬの分野を示すＩＤ、詳細分野を示すＩＤ、キーワードを示すＩＤ、ＵＲＬを管理するＩＤ、そのＩＤの参照を可能とする期間やインターネットサービス情報などから構成される。
【００３５】
なお、個人情報や登録グループ情報、登録ＵＲＬ情報は、前述した全ての情報を含んでいても、一部の情報のみを含んでいてもよい。
【００３６】
図２５は、ＵＲＬ情報提供端末１０４において、個人情報入力手段２０７が保持するユーザ認証情報管理テーブルのレコードの一例を示す図である。メモリーカード１０６の個人情報３０２は、図２５のユーザ認証情報管理テーブルのユーザＩＤ、パスワード、氏名、性別、年齢、地域、登録日、登録ユーザ、更新日、更新ユーザ、登録端末ＩＤの情報を記憶している。メモリーカード１０６の登録グループ情報３０４は、図２５のユーザ認証情報管理テーブルのグループＩＤ、パスワード、キーワードＩＤを記憶している。グループＩＤとパスワード、キーワードＩＤは、ユーザが登録したグループの数だけ記憶している。
【００３７】
図２６は、ＵＲＬ情報提供端末１０４におけるＵＲＬ管理テーブルのレコードの一例を示す図である。ＵＲＬ情報提供端末１０４のＵＲＬ情報記憶手段２１６は、ＵＲＬ情報を、図２６に示すＵＲＬ管理テーブルに格納して保持している。ＵＲＬ管理テーブルは、一つの内容のＵＲＬについて１レコード作成され、分野ＩＤ（そのＵＲＬが属する分野の識別子）、詳細分野ＩＤ（そのＵＲＬが属する詳細分野、つまり分野をさらに細分化したものの識別子）、キーワードＩＤ（そのＵＲＬに対して付与されたキーワード）、参照可能期間（開始時期）、参照可能時期（終了時期）の情報があり、登録日、登録ユーザ、更新日、更新ユーザ、さらにインターネットサービス毎に１つ以上のＵＲＬのフィールドを持っている。これは、同じ内容のコンテンツを示すＵＲＬとして、サービス毎に異なるＵＲＬを持つ場合があるためである。例えば、図２６では、ｉ−ｍｏｄｅ（Ｒ）、Ｊ−Ｓｋｙ（Ｒ）、ＥＺＷｅｂ（Ｒ）、ＰＣ向け通常ＨＴＭＬのサービス単位で４個のＵＲＬを保持する場合の一例を示している。
【００３８】
図２７は、同じくＵＲＬ情報記憶手段２１６が保持する分野テーブルのレコードの一例を示す図である。分野テーブルは、１分野毎に１レコード生成され、分野ＩＤ、分野名、キーワードＩＤのフィールドも持つ。分野名は、その分野ＩＤで特定される分野の名称（例えば、「音楽」、「コンピュータ」など）である。キーワードＩＤは、その分野ＩＤで特定される分野に属する詳細分野を特定する識別子であり、属する詳細分野の個数だけ作成される。この分野ＩＤは、前述したＵＲＬ管理テーブルで使用される。
【００３９】
図２８は、同じくＵＲＬ情報記憶手段２１６が保持するキーワードテーブルのレコードの一例を示す図である。キーワードテーブルは、１キーワード毎に１レコード生成され、キーワードＩＤとキーワード名のフィールドを持つ。キーワード名は、当該レコードのキーワードＩＤで特定されるキーワードである。このキーワードＩＤは、前述したＵＲＬ管理テーブルで使用される。
【００４０】
図２９は、同じくＵＲＬ情報記憶手段２１６が保持するグループテーブルのレコードの一例を示す図である。グループテーブルは、１グループ毎に１レコード生成されグループＩＤ、グループ名と分野ＩＤのフィールドを持つ。グループ名は、そのグループＩＤで特定されるグループの名称（例えば、「鉄道友の会」など）であり、キーワードＩＤは、そのグループと関連のあるキーワードを特定する識別子であり、関連あるキーワードの数だけ作られる。このグループＩＤは、前述したＵＲＬ管理テーブルで使用される。
【００４１】
図３０は、ＵＲＬ情報提供端末１０４におけるＵＲＬアクセス情報記憶手段２２２が保持するＵＲＬ参照回数管理テーブルのレコードの構成の一例を示す図である。ＵＲＬ参照回数管理テーブルは、ＵＲＬ単位として、ＵＲＬ  ＩＤ、参照回数、参照回数（男）、男性の参照回数（１０歳代）〜参照回数（６０歳以上）、参照回数（女）、女性の参照回数（１０歳代）〜参照回数（６０歳以上）、参照グループ、グループ参照回数を記憶している。つまり、ＵＲＬ  ＩＤで特定される特定のＵＲＬ情報にその端末から何回アクセスがあり、それぞれの性別や年齢層で特定されるユーザからのアクセスが何回あったか、さらにどのグループから何回アクセスがあったかを示すデータが保存される。例えば、図１６のＵＲＬ検索画面にある、アクセス回数（端末）１６０１のように、利用者がＵＲＬ情報などのコンテンツを優先順位順に指定する場面において、情報検索部２１８は、前記した図２７のＵＲＬ参照回数管理テーブルのレコードを検索し、ＵＲＬ情報提供端末１０４に検索結果を表示する。
【００４２】
図３１は、ＵＲＬ情報提供端末１０４におけるキーワードとモノメディアとの管理テーブルの一例を示すレコードを示す図である。ＵＲＬ情報提供端末１０４のＵＲＬ情報記憶手段２１６は、図３１のキーワードとモノメディアとの管理テーブルのキーワードＩＤ、キャラクタＩＤ、参照可能期間（開始時期）、参照可能期間（終了時期）、登録日、更新日を記憶している。
【００４３】
図３２は、キャラクタ画像データの構造の一例を示す説明図であり。図３２に示すようにキャラクタ画像データは、キャラクタＩＤとキャラクタ画像が対になって記憶されている。
【００４４】
次に、以上のように構成されたＵＲＬ情報提供システムの動作について説明する。
【００４５】
ＵＲＬ情報提供端末１０４は、定期的にＵＲＬ情報蓄積サーバ１０１からＵＲＬ情報を取得する。コンテンツ蓄積サーバ１０２と放送衛星、通信衛星１０３を介して取得する経路と、インターネット通信網１０５を介して取得する経路がある。ＵＲＬ情報提供端末１０４は、ＵＲＬ受信手段２１４によりＵＲＬ情報を取得し、ＵＲＬ蓄積制御部２１５により取得したＵＲＬ情報を、ＵＲＬ情報記憶手段２１６に蓄積する。具体的には、「分野ＩＤ」とそのデータ、「詳細分野ＩＤ」とそのデータ、「キーワードＩＤ」とそのキーワード、「ＵＲＬ  ＩＤ」とＵＲＬ情報、「参照可能期間（開始）」「参照可能期間（終了）」「登録日」「登録ユーザ」「更新日」「更新ユーザ」「ＵＲＬ（ｉ−ｍｏｄｅ（Ｒ））」「ＵＲＬ（Ｊ−Ｓｋｙ（Ｒ））」「ＵＲＬ（ＥＺＷｅｂ（Ｒ））」などの情報をＵＲＬ情報単位で取得し、ＵＲＬ管理テーブルとしてＵＲＬ情報記憶手段２１６に蓄積する。
【００４６】
また、同様の経路でキーワードとモノメディアの関連を表すデータ（図３１参照）も受信し、ＵＲＬ情報記憶手段２１６に蓄積する。さらに、キャラクタＩＤで特定されるキャラクタの画像データも、ＪＰＥＧ形式などで受信し、蓄積を行なう（図３２参照）。また、ＵＲＬ情報提供端末１０４は、図２７に示す分野テーブル、図２８に示すキーワードテーブル、図２９に示すグループテーブルにそれぞれ示すデータも、ＵＲＬ情報蓄積サーバ１０１から受信して、ＵＲＬ情報管理手段２１６に蓄積する。
【００４７】
以上により、ＵＲＬ情報提供端末１０４内に、ＵＲＬ情報蓄積サーバ１０１からの情報が蓄積される。この後、利用者がコンテンツ（ＵＲＬ情報）を購入する処理を実施する。
【００４８】
図４は、利用者がＵＲＬ情報提供端末１０４においてコンテンツ（ＵＲＬ情報）を購入する際の処理を示すフローチャート（その１）であり、ステップＳ４０１からステップＳ４０８まで構成されている。図５は、利用者がＵＲＬ情報提供端末においてコンテンツ（ＵＲＬ情報）を購入する際の処理を示すフローチャート（その２）であり、ステップＳ４０９からステップＳ４２１までで構成されており、ステップＳ４０８は、図４のステップＳ４０６の次のステップである。図４および図５を用いて、ＵＲＬ情報などのコンテンツを購入する処理の流れについて説明する。
【００４９】
まず、ＵＲＬ情報提供端末１０４のモニターに表示されている案内画面において、ユーザによりコンテンツ購入が選択され、処理を開始する（ステップＳ４０１）。
【００５０】
次に、コンテンツ購入制御手段２０４は、個人情報入力手段２０７に指示して、ユーザ認証（ステップＳ４０２）とグループ認証（ステップＳ４０４）を行なう。
【００５１】
ユーザ認証（ステップＳ４０２）は、次の手順で実施される。まず、タッチパネルには、図６に示す画面が表示される。図６に示した画面は、ユーザＩＤ記入欄６０１、ユーザ認証用パスワード記入欄６０２、表示された画面情報を確認するボタンとして、ＯＫボタン６０３、キャンセルボタン６０４、購入を確定するボタン６０５、購入せずに終了するボタン６０６から構成される。「メモリーカード（ＳＤカード）を挿入してください。」という表示がなされるので、ユーザは、自己のメモリーカード１０６をＵＲＬ情報提供端末１０４に挿入する。メモリーカード１０６が挿入されると、個人情報入力部２０８は、挿入されたメモリーカード１０６からユーザＩＤ、ユーザ認証用パスワード、氏名、性別、年齢などのユーザの個人情報を読み出し、表示中の操作画面を変更する。例えば、図７に示したように、ユーザＩＤ記入欄７０１に読み出したユーザＩＤ「Ａ１２３４５６」が表示され、パスワードの入力待ちの画面となる。
【００５２】
なお、個人情報が格納されていないメモリーカードが挿入された場合、個人情報入力部２０８は、ＵＲＬ情報提供端末１０４のモニターに個人情報入力用の画面を表示する。ユーザは、タッチパネルを操作して、ユーザ認証情報管理テーブルに含まれる情報である「氏名」、「性別」、「年齢」「地域」、「個人認証用パスワード」を入力する。これにより、個人情報入力手段２０８は、「ユーザＩＤ」、「登録日」、「登録ユーザ」、「登録端末ＩＤ」を自動的に付与し、入力された個人情報は、今回の検索に用いられるとともに、メモリーカード１０６に記録され、次回の購入時に使用される。
【００５３】
ユーザが、図８に示したように、ユーザＩＤ記入欄８０１の「Ａ１２３４５６」に対応するパスワードをユーザ認証用パスワード記入欄８０２に入力すると、個人情報入力部２０８は、挿入されたメモリーカード１０６に登録されているパスワードと入力されたパスワードの照合を行なうことで認証を行う。
【００５４】
グループ認証（ステップＳ４０３）は、次の手順で実施される。グループ情報入力部２１０は、メモリーカード１０６に格納されているユーザ認証情報管理テーブル内のグループＩＤとグループ認証用パスワードなどのグループ情報を読み出し、図９に示したように、グループＩＤ記入欄９０１に読み出したグループＩＤ「ＧＲ１２３４５６」と、対応するグループ名「鉄道ファンクラブ」を画面に表示し、パスワードの入力待ち画面となる。ユーザが図１０に示したように、グループＩＤ記入欄１００１の「ＧＲ１２３４５６」に対応するパスワードを入力することで、グループ情報入力部２１０は、メモリーカード１０６に登録されているパスワードと入力されたパスワードの照合を行なうことで認証を行う。
【００５５】
個人情報入力手段２０７での認証が完了すると、ＵＲＬ検索手段２１７が、キーワード選択（ステップＳ４０４）を行なう。画面は図１１に示す状態となる。ここでは、メモリーカード１０６に記録されているグループＩＤを個人情報入力手段２０７から受け取り、情報検索部２１８が、これに基づいて、ＵＲＬ情報記憶手段２１６に格納されているグループテーブルを参照し、関連するキーワードＩＤを取得するとともに、メモリーカード１０６に記録された登録ＵＲＬ情報３０３からキーワードＩＤを取得する処理を行なう。図１１では、グループＩＤ「ＧＲ１２３４５６」から、キーワード「鉄道」が、グループＩＤ「ＧＰ１２３４５７」からキーワード「写真」が選択済みである状態を示す。なお、図示していないが、登録ＵＲＬ情報からキーワードＩＤが取得されておれば、そのユーザＩＤに相当するキーワードが、ＵＲＬ検索手段２１７によってＵＲＬ情報記憶手段２１６より検索されて表示してもよい。
【００５６】
図１１の「分野」欄には、図２７に示す分野テーブルに記憶された分野名、「政治」、「教育」、「コンピュータ」等が表示されている。ユーザが、例えば、「コンピュータ」分野に属するキーワードを追加することを所望する場合は、画面上で「コンピュータ」１１０１を選択したうえで、「詳細」ボタン１１０２にタッチする。すると、図２７に示す分野テーブルおよび図２８に示すキーワードテーブルが参照されて、分野「コンピュータ」に属する追加キーワードが表示され、画面は、図１２に示す状態となる。「パソコン」のほか「ディスプレイ」、「ＨＤＤ」等は、「コンピュータ」分野に属するキーワードである。ここで、ユーザが「パソコン」１２０１を選択し、「登録」１２０２を選択すると、ＵＲＬ検索手段２１７は、図２８に示すキーワードテーブルを検索し、キーワード名「パソコン」に対応するキーワードＩＤを検索する。そして、「パソコン」に相当する詳細分野ＩＤ、「パソコン」に相当するキーワードＩＤなどから、メモリーカード１０６に、図２５のユーザ認証情報管理テーブルのキーワードＩＤに「パソコン」のキーワードＩＤと、そのキーワードの属性として、「登録日」、「登録ユーザ」、「更新日」、「更新ユーザ」を登録する。これにより、次回の購入時には、今回登録された、キーワードがメモリーカード１０６から読み込まれて使用される。そして、図１３の  ＵＲＬ検索画面（分野検索）の画面へと移り変わり、例えば、キーワード欄に「パソコン」１３０１が入力されたことを表している。ここで、「次へ」１３０２選択すると、図１４の「ＵＲＬ検索（ＡＮＤ、ＯＲ）画面へと移り変わる。
【００５７】
図１４のＵＲＬ検索（ＡＮＤ、ＯＲ）画面では、例えばキーワード「鉄道」「写真」の間に「○」１４０１を選択しているが、この「○」はＯＲ検索を指定している。また、「写真」「パソコン」についても「○」１４０２があるが、これも同様である。ここで、「検索」１４０３を選択すると、ＵＲＬ検索手段２１７の情報検索部２１８においてＯＲ検索を行い、検索結果として、情報出力部２１９により、図１５に示すＵＲＬインデックス一覧画面のイメージを示す図のように表示する。
【００５８】
図１５のＵＲＬインデックス一覧画面では、例えば横に左から順に、分野、キーワード、グループＩＤ、ＵＲＬの順に、検索した結果を表示している。ここで、「優先」１５０１を選択すると、図１６に示すＵＲＬ検索画面（優先順位指定）へ画面が切り替わる。
【００５９】
図１６のＵＲＬ検索画面（優先順位指定）では、例えば、優先される検索条件（その条件に合致するＵＲＬ情報が、それまでの検索結果からさらに抽出され優先的なＵＲＬ情報として扱われ、表示の順序が先になる。）をユーザが指定できる。「アクセス回数（端末）」１６０１、を選択すると、例えば「アクセス回数（性別）」１６０２、「アクセス回数（年齢別）」１６０４を選択できるように表示され、ここでは、それぞれ「女性」１６０３、「２０代」１６０５を選択した様子を表している。性別や年齢は、メモリーカード１０６から読み込まれて、個人情報入力手段２０７に保持されているので、ユーザの個人情報と一致する性別や年齢がデフォルトとして設定される、なお、グループのアクセス回数か端末でのアクセス回数かを選択させ、端末でのアクセス回数を選択すれば、ただちにユーザの性別、年齢に応じた性別アクセス回数と年齢別アクセス回数が検索条件として扱われる構成としてもよい。
【００６０】
ここで、「検索」１６０６を選択すると、履歴管理手段２２１により、ＵＲＬアクセス情報２２２から情報を検索し、情報出力部２１９へ情報を送り、例えば、図１７のＵＲＬインデックス一覧画面と端末指定のイメージを示す図を表示する。
【００６１】
次の図１７に示す画面では、「Ｊ−Ｓｋｙ（Ｒ）」１７０１のように、コンテンツの種類例えば、携帯電話会社のインターネットサービスを選択する。「検索」１７０２を選択すると、現在表示されているＵＲＬ情報から指定したインターネットサービスに対応するＵＲＬ情報のみが抽出される。つまり、ＵＲＬ検索手段２１７は、ＵＲＬ情報記憶手段が保持するＵＲＬ情報管理テーブル（図２６）を参照して、ＵＲＬ（Ｊ−Ｓｋｙ（Ｒ））にフィールドにデータが記載されたもののみを抽出し、表示する。以上で、ＵＲＬ情報の検索は終了し、次に検索されたＵＲＬ情報を携帯端末で閲覧しやすい形に加工する段階に移る。この段階で、画面は図１８に示す状態となる。なお、優先させる検索条件を指定してからコンテンツの種類の選択へ進む例を示したが、逆にコンテンツの種類を選択する構成としてもよい。
【００６２】
図１８のＵＲＬインデックス一覧画面とポータルサイト指定のイメージを示す図では、例えば、「個人ポータルサイト選択」１８０１を選択する。これは、携帯端末１０７において、ユーザが個人用にＵＲＬ情報を閲覧し易いような表示を提供するための、例えば、個人ポータルサイトの表示形式を選択することである。
【００６３】
「個人ポータルサイト選択」１８０１を選択すると、個人ポータルサイト構築手段２２０により、例えば、図１９のポータルサイトのイメージを示す図から図２４のポータルサイトのイメージを示す図までの範囲でユーザが選択することができる。このとき、ＵＲＬ情報２１６から、図１８のＵＲＬインデックス一覧画面とポータルサイト指定のイメージを示す図に表示した「キーワードＩＤ」情報から、図２８のキーワードとモノメディアとの管理テーブル「キーワードＩＤ」から「キャラクタＩＤ」を選択し、情報検索部２１７からキャラクタを検索し、図１９のポータルサイトのイメージを示す図から図２４のポータルサイトのイメージを示す図にあるキャラクタをキーワードに図、例えばＪＰＥＧ形式の画像として表示する。
【００６４】
個人ポータルサイト構築の具体的な処理は、以下の通りである。個人ポータルサイトを表示するためのファイルは、ＨＴＭＬ言語等で作られたスケルトンファイル（例えば、画面の左に画像データを三つ並べ、その左にグループ名を表示するなど表示形式の大枠のみを記述し、具体的な画像や文字列指定のないファイル）にユーザが選択した画像、情報出力部から出力されたＵＲＬ情報、グループ名等を埋め込むことにより生成される。埋め込む方法としては、画像ファイル、グループ名称のファイル、ＵＲＬ情報のファイル等をインクルードファイルとして取り込む方法を用いる。なお、前記スケルトンファイルは、コンテンツ蓄積サーバ１０２からＵＲＬ情報提供端末１０４に送信して蓄積しておいてもよいし、インターネット１０５経由で送信して蓄積しておいてもよい。以上の手順で、個人ポータルサイト用のファイルが生成されると、個人ポータルサイト構築手段２２０は、当該ファイルをＵＲＬ出力制御手段２１１に送信する。
【００６５】
次に、ＵＲＬ出力制御手段２１１は、以下の手順で、メモリーカード１０６への書き込みを行う。まず、コンテンツ購入制御手段２０４は、ユーザが購入したＵＲＬ情報に基づき合計金額を算出し、モニター２２５に表示する（ステップＳ４０５）。次に、そして、コンテンツ購入制御手段２０４は、プリペイドカードか現金挿入を要求する画面を（ステップＳ４０６）をモニター２２５に表示する。
【００６６】
次に、コンテンツ購入制御手段２０４により、合計金額確認（ステップＳ４０９）が表示される。ここで、現金かプリペイドカードにより支払いを行ない、例えば現金の場合は、現金演算制御部２０６において処理を行なう。合計金額に不足する場合は（ステップＳ４０９が不足）、不足金額確認（ステップＳ４１８）を意味することをＵＲＬ情報提供端末１０４に表示する。追加現金かプリペイドカード挿入（ステップＳ４１９が追加挿入）を行うと、ステップＳ４０９に遷移し、再度合計金額の確認を実施する。不足金額の追加挿入を行なわずに、「戻る」または「終了」ボタンを押下することで（ステップＳ４１９が戻るｏｒ終了）、ステップＳ４２１に遷移し、終了するか、最初のメニューに戻るかの処理を行なう。一方、合計金額に不足がない場合（ステップＳ４０９が充足）、記録媒体の挿入を要求する（ステップＳ４１０）。
【００６７】
ユーザは、すでに挿入されているメモリーカードへの記録を所望する場合は、そのまま、画面（図示せず）において、「確認」ボタンを押す。新たなメモリーへの記録を所望する場合は、すでに挿入されているメモリーカードに代えて、新たなメモリーカードを挿入して、「確認」を押す。すると、記録メディア書き込み部２１２による記録媒体確認と容量確認（ステップＳ４１１）が行なわれ、容量的に不足しているなど問題がある場合（ステップＳ４１１がＮＧ）は、再度記録媒体の挿入要求へ戻る（ステップＳ４１０）。また、「確認」ボタンを押下せずに「戻る」または「終了」ボタンが押された場合（ステップＳ４１１が戻るｏｒ終了）は、ステップＳ４２１に進み、終了するか、最初のメニューに戻るかの処理を行なう。
【００６８】
もし、記録媒体が容量的に問題なければ（ステップＳ４１１がＯＫ）、ユーザにより購入要求が指示されるのを待つ。ユーザはＵＲＬ情報提供端末１０４において購入を選択（ステップＳ４１３が購入）すれば、メディア書き込み部２１２からメモリーカード１０６へデータダウンロード（ステップＳ４１４）を実行する。これはＵＲＬ情報提供端末１０４におけるメディア書き込み部２１２を行い、メモリーカード１０６へ購入したＵＲＬ情報などのコンテンツをコピーしている。また、購入を選択せずに「戻る」または「終了」ボタンが押された場合（ステップＳ４１１が戻るｏｒ終了）は、ステップＳ４２１に進み、終了するか、最初のメニューに戻るかの処理を行なう。
【００６９】
コピー終了後、ＵＲＬ情報提供端末１０４は記録媒体排出し（ステップＳ４１５）、プリペイドカードを利用した場合はプリペイドカードも排出し（ステップＳ４１６）、現金を挿入した場合に残金があれば、残金を排出し（ステップＳ４１７）、処理を終了する。
【００７０】
なお、「戻る」や「終了」ボタンを選択した場合、挿入した現金、およびプリペイドカード、メモリーカードは返却される。
【００７１】
以上のようにして、ユーザは、所望するＵＲＬ情報をメモリーカードに記録し、自己の携帯端末で利用することができる。
【産業上の利用可能性】
【００７２】
本発明にかかるＵＲＬ情報提供端末は、ＵＲＬ情報をユーザのメモリーカード等の記録媒体に記録して提供する機能を有し、記録媒体を外部メモリーとして利用可能な端末で有用である。また、携帯電話や携帯情報機器、パーソナルコンピュータ等の用途にも応用できる。
【図面の簡単な説明】
【００７３】
【図１】本発明の実施の形態におけるＵＲＬ情報提供システムの構成の一例を示すシステム構成図
【図２】本発明の実施の形態におけるＵＲＬ情報提供端末１０４の機能構成の一例を表したブロック図
【図３】メモリーカード１０６のデータの構成の一例を表した構成図
【図４】ＵＲＬ情報提供端末１０４におけるＵＲＬ情報コンテンツ購入処理の動作を示すフローチャート
【図５】ＵＲＬ情報提供端末１０４におけるＵＲＬ情報コンテンツ購入処理の動作を示すフローチャート
【図６】ＵＲＬ情報提供端末１０４におけるＵＲＬ情報コンテンツ購入処理のユーザ認証時の表示画面の一例を示す図
【図７】ＵＲＬ情報提供端末１０４におけるＵＲＬ情報コンテンツ購入処理のユーザ認証時の表示画面の一例を示す図
【図８】ＵＲＬ情報提供端末１０４におけるＵＲＬ情報コンテンツ購入処理のユーザ認証時の表示画面の一例を示す図
【図９】ＵＲＬ情報提供端末１０４におけるＵＲＬ情報コンテンツ購入処理のグループ認証時の表示画面の一例を示す図
【図１０】ＵＲＬ情報提供端末１０４におけるＵＲＬ情報コンテンツ購入処理のグループ認証時の表示画面の一例を示す図
【図１１】ＵＲＬ情報提供端末１０４におけるＵＲＬ情報コンテンツ購入処理のグループ認証時の表示画面の一例を示す図
【図１２】ＵＲＬ情報提供端末１０４におけるＵＲＬ情報コンテンツ購入処理のキーワード検索時の表示画面の一例を示す図
【図１３】ＵＲＬ情報提供端末１０４におけるＵＲＬ情報コンテンツ購入処理のキーワード検索時の表示画面の一例を示す図
【図１４】ＵＲＬ情報提供端末１０４におけるＵＲＬ情報コンテンツ購入処理のキーワード検索時の表示画面の一例を示す図
【図１５】ＵＲＬ情報提供端末１０４におけるＵＲＬ情報コンテンツ購入処理のＵＲＬインデックス一覧画面のイメージを示す図
【図１６】ＵＲＬ情報提供端末１０４におけるＵＲＬ情報コンテンツ購入処理のＵＲＬ検索画面（優先順位指定）を示す図
【図１７】ＵＲＬ情報提供端末１０４におけるＵＲＬ情報コンテンツ購入処理のＵＲＬインデックス一覧画面と端末指定のイメージを示す図
【図１８】ＵＲＬ情報提供端末１０４におけるＵＲＬ情報コンテンツ購入処理のＵＲＬインデックス一覧画面とポータルサイト指定のイメージを示す図
【図１９】ＵＲＬ情報提供端末１０４におけるＵＲＬ情報コンテンツ購入処理のポータルサイトのイメージを示す図
【図２０】ＵＲＬ情報提供端末１０４におけるＵＲＬ情報コンテンツ購入処理のポータルサイトのイメージを示す図
【図２１】ＵＲＬ情報提供端末１０４におけるＵＲＬ情報コンテンツ購入処理のポータルサイトのイメージを示す図
【図２２】ＵＲＬ情報提供端末１０４におけるＵＲＬ情報コンテンツ購入処理のポータルサイトのイメージを示す図
【図２３】ＵＲＬ情報提供端末１０４におけるＵＲＬ情報コンテンツ購入処理のポータルサイトのイメージを示す図
【図２４】ＵＲＬ情報提供端末１０４におけるＵＲＬ情報コンテンツ購入処理のポータルサイトのイメージを示す図
【図２５】ＵＲＬ情報記憶手段２１６が保持するユーザ認証情報管理テーブルのレコードの一例を示す図
【図２６】ＵＲＬ情報記憶手段２１６が保持するＵＲＬ管理テーブルのレコードの一例を示す図
【図２７】ＵＲＬ情報記憶手段２１６が保持する分野テーブルのレコードの一例を示す図
【図２８】ＵＲＬ情報記憶手段２１６が保持するキーワードテーブルのレコードの一例を示す図
【図２９】ＵＲＬ情報記憶手段２１６が保持するグループテーブルのレコードの一例を示す図
【図３０】ＵＲＬアクセス情報記憶手段２２２が保持するＵＲＬ参照回数管理テーブルのレコードの一例を示す図
【図３１】ＵＲＬ情報記憶手段２１６が保持するキーワードとモノメディアとの管理テーブルの一例を示す図
【図３２】キャラクタ画像データの構造の一例を示す図
【符号の説明】
【００７４】
１００    ＵＲＬ情報受信システム
１０１    ＵＲＬ情報蓄積サーバ
１０２    コンテンツ蓄積サーバ
１０３    衛星
１０４    ＵＲＬ情報提供端末
１０５    インターネット通信網
１０６    メモリーカード
１０７    携帯端末
２０１    端末本体
２０４    コンテンツ購入制御手段
２０５    カード制御部
２０６    現金演算制御部
２０７    個人情報入力手段
２０８    個人情報入力部
２０９    ＵＲＬ入力部
２１０    グループ情報入力部
２１１    ＵＲＬ出力制御手段
２１２    メディア書き込み部
２１３    記録メディア認識部
２１４    ＵＲＬ受信手段
２１５    ＵＲＬ蓄積制御部
２１６    ＵＲＬ情報記憶手段
２１７    ＵＲＬ検索手段
２１８    情報検索部
２１９    情報出力部
２２０    個人ポータルサイト構築手段
２２１    履歴管理手段
２２２    ＵＲＬアクセス情報記憶手段
２２３    ＵＲＬアクセス情報蓄積部
２２４    ＵＲＬアクセス情報集計部
２２５    モニター
３０２    個人情報
３０３    登録ＵＲＬ情報
３０４    登録グループ情報
３０５    記録メディア情報
【図１】
2006018637.tif 000003
【図２】
2006018637.tif 000004
【図３】
2006018637.tif 000005
【図４】
2006018637.tif 000006
【図５】
2006018637.tif 000007
【図６】
2006018637.tif 000008
【図７】
2006018637.tif 000009
【図８】
2006018637.tif 000010
【図９】
2006018637.tif 000011
【図１０】
2006018637.tif 000012
【図１１】
2006018637.tif 000013
【図１２】
2006018637.tif 000014
【図１３】
2006018637.tif 000015
【図１４】
2006018637.tif 000016
【図１５】
2006018637.tif 000017
【図１６】
2006018637.tif 000018
【図１７】
2006018637.tif 000019
【図１８】
2006018637.tif 000020
【図１９】
2006018637.tif 000021
【図２０】
2006018637.tif 000022
【図２１】
2006018637.tif 000023
【図２２】
2006018637.tif 000024
【図２３】
2006018637.tif 000025
【図２４】
2006018637.tif 000026
【図２５】
2006018637.tif 000027
【図２６】
2006018637.tif 000028
【図２７】
2006018637.tif 000029
【図２８】
2006018637.tif 000030
【図２９】
2006018637.tif 000031
【図３０】
2006018637.tif 000032
【図３１】
2006018637.tif 000033
【図３２】
2006018637.tif 000034